【手続補正書】
【提出日】平成17年6月10日(2005.6.10)
【手続補正１】
【補正対象書類名】明細書
【補正対象項目名】発明の名称
【補正方法】変更
【補正の内容】
【発明の名称】画像圧縮装置
【手続補正２】
【補正対象書類名】明細書
【補正対象項目名】特許請求の範囲
【補正方法】変更
【補正の内容】
【特許請求の範囲】
【請求項１】
入力画像データに対して色空間変換を施す色空間変換手段と、
前記色空間変換手段により色空間変換された画像データを複数の領域に分割する分割手段と、
前記分割手段により分割された夫々の領域に対してウェーブレット変換を施すウェーブレット変換手段と、
前記入力画像データの注目領域を指定する領域指定手段と、
前記領域指定手段により指定された注目領域毎に注目度を指定する注目度指定手段と、
前記注目度に応じて前記ウェーブレット変換手段によりウェーブレット変換された領域毎に量子化率を設定する量子化率設定手段と、
前記量子化率設定手段により設定された量子化率に基づき、当該領域毎に圧縮制御する圧縮制御手段と、
前記圧縮制御手段により圧縮制御された領域を前記量子化率に基づき、量子化する量子化手段と、
前記量子化手段で量子化されたデータをエントロピー符号化するエントロピー符号化手段と、
前記エントロピー符号化手段によりエントロピー符号化されたデータをコードストリーム処理するタグ処理手段と、
を有することを特徴とする画像圧縮装置。
【請求項２】
前記分割手段により分割される領域は、タイル、プレシンクト、コードブロックのいずれかであることを特徴とする請求項１記載の画像圧縮装置。
【請求項３】
前記分割手段により分割される領域は、タイル、プレシンクト、コードブロックのいずれか２つ又は３つを組み合わせることを特徴とする請求項１記載の画像圧縮装置。
【請求項４】
前記領域指定手段は、前記分割した領域毎に番号を割り当てて、当該注目領域に該当する番号を前記注目度に応じて指定することを特徴とする請求項１乃至３のいずれか１項に記載の画像圧縮装置。
【請求項５】
前記入力画像データが、静止グレースケール画像であり、
前記注目領域が、人間の顔を含む領域であり、
当該注目領域における量子化率を他の領域に比べて低く設定することを特徴とする請求項１乃至４のいずれか１項に記載の画像圧縮装置。
【請求項６】
前記量子化率は、前記注目領域の量子化率が他の領域より高く設定された場合に、前記注目領域の画質が粗くなり、前記注目領域の量子化率が他の領域より低く設定された場合に、前記注目領域の画質が高精細となることを特徴とする請求項１乃至５のいずれか１項に記載の画像圧縮装置。
【請求項７】
前記タイルは、前記入力画像データにおける人間の顔の部分を覆うようにタイルサイズを設定されることを特徴とする請求項５記載の画像圧縮装置。
【請求項８】
入力画像データに対して色空間変換を施す色空間変換手段と、
前記色空間変換手段により色空間変換された画像データを複数の領域に分割する分割手段と、
前記分割手段により分割された領域毎にウェーブレット変換を施すウェーブレット変換手段と、
前記ウェーブレット変換手段によりウェーブレット変換されたウェーブレット係数を量子化する量子化手段と、
前記量子化手段により量子化されたビットプレーンを領域毎に分割するビットプレーン分割手段と、
前記入力画像データにおける注目領域を指定し、当該注目領域に対して他の領域と異なるビットプレーン分割を設定するビットプレーン設定手段と、
前記ビットプレーン設定手段により設定されたビットプレーン分割に基づき、エントロピー符号化するエントロピー符号化手段と、
前記エントロピー符号化手段によりエントロピー符号化されたデータからコードストリームを生成するコードストリーム処理手段と、
を有することを特徴とする画像圧縮装置。
【請求項９】
入力画像データに対して色空間変換を施す色空間変換手段と、
前記色空間変換手段により色空間変換された画像データをウェーブレット変換するウェーブレット変換手段と、
前記ウェーブレット変換手段によりウェーブレット変換されたウェーブレット係数を量子化する量子化手段と、
前記量子化手段により量子化されたデータを複数の領域に分割する分割手段と、
前記入力画像データにおける注目領域を指定する領域指定手段と、
前記分割手段により分割された領域毎にビットプレーン分割をするビットプレーン分割指定手段と、
前記ビットプレーン分割指定手段により指定された領域毎のビットプレーン分割に応じてビットプレーン分割の設定をする分割制御手段と、
前記量子化手段により量子化されたウェーブレット係数を、前記分割制御手段で設定されたビットプレーン分割に基づきレイヤに分割するビットプレーン分割手段と、
前記ビットプレーン分割されたデータをエントロピー符号化するエントロピー符号化手段と、
前記エントロピー符号化手段によりエントロピー符号化されたデータからコードストリームを生成するコードストリーム処理手段と、
を有することを特徴とする画像圧縮装置。
【請求項１０】
前記分割手段で分割される領域は、タイル、プレシンクト、コードブロックのいずれかであることを特徴とする請求項８又は９記載の画像圧縮装置。
【請求項１１】
前記分割手段で分割される領域は、タイル、プレシンクト、コードブロックのいずれか２つ又は３つを組み合わせることを特徴とする請求項８又は９記載の画像圧縮装置。
【請求項１２】
前記領域指定手段は、前記分割した領域毎に番号を割り当てて、当該注目領域に該当する番号を指定することを特徴とする請求項８乃至１１のいずれか１項に記載の画像圧縮装置。
【手続補正３】
【補正対象書類名】明細書
【補正対象項目名】０００１
【補正方法】変更
【補正の内容】
【０００１】
【発明の属する技術分野】
本発明は、画像圧縮装置、より詳細には、画像の注目領域と他の領域とで異なる量子化率を設定可能な画像圧縮装置に関する。
【手続補正４】
【補正対象書類名】明細書
【補正対象項目名】００３０
【補正方法】変更
【補正の内容】
【００３０】
【発明が解決しようとする課題】
本発明は、上述のごとき問題点に鑑みてなされたものであり、画像の重要な領域、注目する領域を画像の使用者により設定でき、かつ、該設定された領域を使用者の要求に応じた精度で画像圧縮することができ、これにより容易に実現可能な画像圧縮装置を提供すること、を目的としてなされたものである。
【手続補正５】
【補正対象書類名】明細書
【補正対象項目名】００３３
【補正方法】変更
【補正の内容】
【００３３】
【課題を解決するための手段】
請求項１の発明は、入力画像データに対して色空間変換を施す色空間変換手段と、前記色空間変換手段により色空間変換された画像データを複数の領域に分割する分割手段と、前記分割手段により分割された夫々の領域に対してウェーブレット変換を施すウェーブレット変換手段と、前記入力画像データの注目領域を指定する領域指定手段と、前記領域指定手段により指定された注目領域毎に注目度を指定する注目度指定手段と、前記注目度に応じて前記ウェーブレット変換手段によりウェーブレット変換された領域毎に量子化率を設定する量子化率設定手段と、前記量子化率設定手段により設定された量子化率に基づき、当該領域毎に圧縮制御する圧縮制御手段と、前記圧縮制御手段により圧縮制御された領域を前記量子化率に基づき、量子化する量子化手段と、前記量子化手段で量子化されたデータをエントロピー符号化するエントロピー符号化手段と、前記エントロピー符号化手段によりエントロピー符号化されたデータをコードストリーム処理するタグ処理手段と、を有することを特徴としたものである。
【手続補正６】
【補正対象書類名】明細書
【補正対象項目名】００３４
【補正方法】変更
【補正の内容】
【００３４】
請求項２の発明は、請求項１の発明において、前記分割手段により分割される領域は、タイル、プレシンクト、コードブロックのいずれかであることを特徴としたものである。
【手続補正７】
【補正対象書類名】明細書
【補正対象項目名】００３５
【補正方法】変更
【補正の内容】
【００３５】
請求項３の発明は、請求項１の発明において、前記分割手段により分割される領域は、タイル、プレシンクト、コードブロックのいずれか２つ又は３つを組み合わせることを特徴としたものである。
【手続補正８】
【補正対象書類名】明細書
【補正対象項目名】００３６
【補正方法】変更
【補正の内容】
【００３６】
請求項４の発明は、請求項１乃至３のいずれか１の発明において、前記領域指定手段は、前記分割した領域毎に番号を割り当てて、当該注目領域に該当する番号を前記注目度に応じて指定することを特徴としたものである。
【手続補正９】
【補正対象書類名】明細書
【補正対象項目名】００３７
【補正方法】変更
【補正の内容】
【００３７】
請求項５の発明は、請求項１乃至４のいずれか１の発明において、前記入力画像データが、静止グレースケール画像であり、前記注目領域が、人間の顔を含む領域であり、当該注目領域における量子化率を他の領域に比べて低く設定することを特徴としたものである。
【手続補正１０】
【補正対象書類名】明細書
【補正対象項目名】００３８
【補正方法】変更
【補正の内容】
【００３８】
請求項６の発明は、請求項１乃至５のいずれか１の発明において、前記量子化率は、前記注目領域の量子化率が他の領域より高く設定された場合に、前記注目領域の画質が粗くなり、前記注目領域の量子化率が他の領域より低く設定された場合に、前記注目領域の画質が高精細となることを特徴としたものである。
【手続補正１１】
【補正対象書類名】明細書
【補正対象項目名】００３９
【補正方法】変更
【補正の内容】
【００３９】
請求項７の発明は、請求項５の発明において、前記タイルは、前記入力画像データにおける人間の顔の部分を覆うようにタイルサイズを設定されることを特徴としたものである。
【手続補正１２】
【補正対象書類名】明細書
【補正対象項目名】００４０
【補正方法】変更
【補正の内容】
【００４０】
請求項８の発明は、入力画像データに対して色空間変換を施す色空間変換手段と、前記色空間変換手段により色空間変換された画像データを複数の領域に分割する分割手段と、前記分割手段により分割された領域毎にウェーブレット変換を施すウェーブレット変換手段と、前記ウェーブレット変換手段によりウェーブレット変換されたウェーブレット係数を量子化する量子化手段と、前記量子化手段により量子化されたビットプレーンを領域毎に分割するビットプレーン分割手段と、前記入力画像データにおける注目領域を指定し、当該注目領域に対して他の領域と異なるビットプレーン分割を設定するビットプレーン設定手段と、前記ビットプレーン設定手段により設定されたビットプレーン分割に基づき、エントロピー符号化するエントロピー符号化手段と、前記エントロピー符号化手段によりエントロピー符号化されたデータからコードストリームを生成するコードストリーム処理手段と、を有することを特徴としたものである。
【手続補正１３】
【補正対象書類名】明細書
【補正対象項目名】００４１
【補正方法】変更
【補正の内容】
【００４１】
請求項９の発明は、入力画像データに対して色空間変換を施す色空間変換手段と、前記色空間変換手段により色空間変換された画像データをウェーブレット変換するウェーブレット変換手段と、前記ウェーブレット変換手段によりウェーブレット変換されたウェーブレット係数を量子化する量子化手段と、前記量子化手段により量子化されたデータを複数の領域に分割する分割手段と、前記入力画像データにおける注目領域を指定する領域指定手段と、前記分割手段により分割された領域毎にビットプレーン分割をするビットプレーン分割指定手段と、前記ビットプレーン分割指定手段により指定された領域毎のビットプレーン分割に応じてビットプレーン分割の設定をする分割制御手段と、前記量子化手段により量子化されたウェーブレット係数を、前記分割制御手段で設定されたビットプレーン分割に基づきレイヤに分割するビットプレーン分割手段と、前記ビットプレーン分割されたデータをエントロピー符号化するエントロピー符号化手段と、前記エントロピー符号化手段によりエントロピー符号化されたデータからコードストリームを生成するコードストリーム処理手段と、を有することを特徴としたものである。
【手続補正１４】
【補正対象書類名】明細書
【補正対象項目名】００４２
【補正方法】変更
【補正の内容】
【００４２】
請求項１０の発明は、請求項８又は９の発明において、前記分割手段で分割される領域は、タイル、プレシンクト、コードブロックのいずれかであることを特徴としたものである。
【手続補正１５】
【補正対象書類名】明細書
【補正対象項目名】００４３
【補正方法】変更
【補正の内容】
【００４３】
請求項１１の発明は、請求項８又は９の発明において、前記分割手段で分割される領域は、タイル、プレシンクト、コードブロックのいずれか２つ又は３つを組み合わせることを特徴としたものである。
【手続補正１６】
【補正対象書類名】明細書
【補正対象項目名】００４４
【補正方法】変更
【補正の内容】
【００４４】
請求項１２の発明は、請求項８乃至１１のいずれか１の発明において、前記領域指定手段は、前記分割した領域毎に番号を割り当てて、当該注目領域に該当する番号を指定することを特徴としたものである。
【手続補正１７】
【補正対象書類名】明細書
【補正対象項目名】００４５
【補正方法】削除
【補正の内容】
【手続補正１８】
【補正対象書類名】明細書
【補正対象項目名】００４６
【補正方法】削除
【補正の内容】
【手続補正１９】
【補正対象書類名】明細書
【補正対象項目名】００４７
【補正方法】削除
【補正の内容】
【手続補正２０】
【補正対象書類名】明細書
【補正対象項目名】００４８
【補正方法】削除
【補正の内容】
【手続補正２１】
【補正対象書類名】明細書
【補正対象項目名】００４９
【補正方法】削除
【補正の内容】
【手続補正２２】
【補正対象書類名】明細書
【補正対象項目名】００５０
【補正方法】削除
【補正の内容】
【手続補正２３】
【補正対象書類名】明細書
【補正対象項目名】００５１
【補正方法】削除
【補正の内容】
【手続補正２４】
【補正対象書類名】明細書
【補正対象項目名】００５２
【補正方法】削除
【補正の内容】
【手続補正２５】
【補正対象書類名】明細書
【補正対象項目名】００５３
【補正方法】削除
【補正の内容】
【手続補正２６】
【補正対象書類名】明細書
【補正対象項目名】００５４
【補正方法】削除
【補正の内容】
【手続補正２７】
【補正対象書類名】明細書
【補正対象項目名】００５５
【補正方法】削除
【補正の内容】
【手続補正２８】
【補正対象書類名】明細書
【補正対象項目名】００５６
【補正方法】削除
【補正の内容】
【手続補正２９】
【補正対象書類名】明細書
【補正対象項目名】００５７
【補正方法】削除
【補正の内容】
【手続補正３０】
【補正対象書類名】明細書
【補正対象項目名】００５８
【補正方法】削除
【補正の内容】
【手続補正３１】
【補正対象書類名】明細書
【補正対象項目名】００５９
【補正方法】削除
【補正の内容】
【手続補正３２】
【補正対象書類名】明細書
【補正対象項目名】００６０
【補正方法】削除
【補正の内容】
【手続補正３３】
【補正対象書類名】明細書
【補正対象項目名】００６１
【補正方法】削除
【補正の内容】
【手続補正３４】
【補正対象書類名】明細書
【補正対象項目名】００６２
【補正方法】削除
【補正の内容】
【手続補正３５】
【補正対象書類名】明細書
【補正対象項目名】００６３
【補正方法】削除
【補正の内容】
【手続補正３６】
【補正対象書類名】明細書
【補正対象項目名】００６４
【補正方法】削除
【補正の内容】
【手続補正３７】
【補正対象書類名】明細書
【補正対象項目名】００６５
【補正方法】削除
【補正の内容】
【手続補正３８】
【補正対象書類名】明細書
【補正対象項目名】００６６
【補正方法】削除
【補正の内容】
【手続補正３９】
【補正対象書類名】明細書
【補正対象項目名】００６７
【補正方法】削除
【補正の内容】
【手続補正４０】
【補正対象書類名】明細書
【補正対象項目名】００６８
【補正方法】削除
【補正の内容】
【手続補正４１】
【補正対象書類名】明細書
【補正対象項目名】００６９
【補正方法】削除
【補正の内容】
【手続補正４２】
【補正対象書類名】明細書
【補正対象項目名】００７０
【補正方法】削除
【補正の内容】
【手続補正４３】
【補正対象書類名】明細書
【補正対象項目名】００７１
【補正方法】削除
【補正の内容】
【手続補正４４】
【補正対象書類名】明細書
【補正対象項目名】００７２
【補正方法】削除
【補正の内容】
【手続補正４５】
【補正対象書類名】明細書
【補正対象項目名】００７３
【補正方法】削除
【補正の内容】
【手続補正４６】
【補正対象書類名】明細書
【補正対象項目名】００７４
【補正方法】削除
【補正の内容】
【手続補正４７】
【補正対象書類名】明細書
【補正対象項目名】００７５
【補正方法】削除
【補正の内容】
【手続補正４８】
【補正対象書類名】明細書
【補正対象項目名】００７６
【補正方法】削除
【補正の内容】
【手続補正４９】
【補正対象書類名】明細書
【補正対象項目名】００７７
【補正方法】削除
【補正の内容】
【手続補正５０】
【補正対象書類名】明細書
【補正対象項目名】００７８
【補正方法】削除
【補正の内容】
【手続補正５１】
【補正対象書類名】明細書
【補正対象項目名】００７９
【補正方法】削除
【補正の内容】
【手続補正５２】
【補正対象書類名】明細書
【補正対象項目名】００８０
【補正方法】削除
【補正の内容】
【手続補正５３】
【補正対象書類名】明細書
【補正対象項目名】００８１
【補正方法】削除
【補正の内容】
【手続補正５４】
【補正対象書類名】明細書
【補正対象項目名】００８２
【補正方法】削除
【補正の内容】
【手続補正５５】
【補正対象書類名】明細書
【補正対象項目名】００８３
【補正方法】削除
【補正の内容】
【手続補正５６】
【補正対象書類名】明細書
【補正対象項目名】００８４
【補正方法】削除
【補正の内容】
【手続補正５７】
【補正対象書類名】明細書
【補正対象項目名】００８５
【補正方法】削除
【補正の内容】
【手続補正５８】
【補正対象書類名】明細書
【補正対象項目名】００８６
【補正方法】削除
【補正の内容】
【手続補正５９】
【補正対象書類名】明細書
【補正対象項目名】００８７
【補正方法】削除
【補正の内容】
【手続補正６０】
【補正対象書類名】明細書
【補正対象項目名】００８８
【補正方法】削除
【補正の内容】
【手続補正６１】
【補正対象書類名】明細書
【補正対象項目名】００８９
【補正方法】削除
【補正の内容】